(57)【要約】【課題】  エコーキャンセラー機能を有するＩＰ網を介してファクシミリ通信を行う場合であってもファクシミリ通信の通信手順を継続できる。【解決手段】  ファクシミリ装置２０の主制御部１は、位相反転回路１２により２１００Ｈｚ信号の位相反転を検出したときは（Ｓ１９でＹＥＳ）、ＩＴＵ−Ｔ勧告Ｖ．３４モードのＡＮＳａｍ信号を検出したと判断する（Ｓ２０）一方、位相反転を検出しないときは（Ｓ１９でＮＯ）、ファクシミリ通信のＣＥＤ信号を検出したと判断する（Ｓ２１）。ここで、主制御部１は、ＣＥＤ信号を検出したと判断したとき、ＣＥＤ信号に続いて相手先のファクシミリ装置から送出されるＤＩＳ信号に応答し（Ｓ３２−Ｓ４３）、また、ＡＮＳａｍ信号を検出したと判断したとき（Ｓ３４でＮＯ）、ＡＮＳａｍ信号に続いて相手先のファクシミリ装置から送出されるＤＩＳ信号に応答しないで、次のＤＩＳ信号に応答する（Ｓ３２−Ｓ３５）。【選択図】  図４
2007043419.tif 000002
【特許請求の範囲】
【請求項１】
相手先のファクシミリ装置とＩＰ網を介してファクシミリ通信を行うファクシミリ装置において、
相手先のファクシミリ装置からの２１００Ｈｚ信号を受信し、受信した２１００Ｈｚ信号が位相反転したか否かを検出する位相反転回路と、
上記位相反転回路により上記２１００Ｈｚ信号の位相反転を検出したときは、ＩＴＵ−Ｔ勧告Ｖ．３４モードのＡＮＳａｍ信号を検出したと判断する一方、位相反転を検出しないときは、ファクシミリ通信のＣＥＤ信号を検出したと判断する制御手段とを備えたことを特徴とするファクシミリ装置。
【請求項２】
上記制御手段は、上記ＣＥＤ信号を検出したと判断したとき、上記ＣＥＤ信号に続いて相手先のファクシミリ装置から送出されるＤＩＳ信号に応答することを特徴とする請求項１記載のファクシミリ装置。
【請求項３】
上記制御手段は、上記ＡＮＳａｍ信号を検出したと判断したとき、上記ＡＮＳａｍ信号に続いて相手先のファクシミリ装置から送出されるＤＩＳ信号に応答しないで、次のＤＩＳ信号に応答することを特徴とする請求項１又は２記載のファクシミリ装置。
【発明の詳細な説明】
【技術分野】
【０００１】
本発明は、相手先のファクシミリ装置と、例えばＩＰ網を介してファクシミリ通信を行うためのファクシミリ装置に関する。
【背景技術】
【０００２】
公衆電話回線を介してファクシミリ画像信号を伝送するためのファックスモデムとして、従来の１４．４ｋｂｓの最大データ速度を有するＩＴＵ−Ｔ勧告Ｖ．１７通信モードのファックスモデムよりも高速で、３３．６ｋｂｓの最大データ速度を有する、いわゆる「スーパーＧ３」と呼ばれるＩＴＵ−Ｔ勧告Ｖ．３４通信モードのファックスモデムが実用化されている。
【０００３】
一方、昨今、インターネット・プロトコルの通信手順を用いた通信網である、いわゆるＩＰ網を用いて、インターネットなどのデータ通信のみならず、電話通信やファクシミリ通信が行われるようになってきた。すなわち、対向する１対のファクシミリ装置間で、例えばＲＴＰ、ＵＤＰ又はＩＰのプロトコルを用いて通信を行うＩＰ網５０を介して接続されてファクシミリ通信が行われており、図２は、ファクシミリ装置２０がＩＰ網５０及び公衆電話網３０を介して相手先のファクシミリ装置２０Ａに接続されているときの回線構成図である。
【０００４】
図２において、相手先のファクシミリ装置２０ＡのＮＣＵ（ネットワーク制御回路：Network Control Unit）１１は公衆電話網３０を介してメディアゲートウェイ装置４０のＮＣＵ４１に接続される。メディアゲートウェイ装置４０はアナログ信号とデジタル信号の相互変換を行う装置であり、メディアゲートウェイ装置４０はルータ装置５１、ＩＰ網５０及びルータ装置５２を介してＶｏＩＰターミナルアダプタ装置（ＶｏＩＰゲートウェイ装置ともいう。）６０に接続される。ここで、ＶｏＩＰターミナルアダプタ装置６０もメディアゲートウェイ装置４０と同様にアナログ信号とデジタル信号の相互変換を行う装置である。さらに、ＶｏＩＰターミナルアダプタ装置６０のＮＣＵ５１と相手先のファクシミリ装置２０ＡのＮＣＵ１１Ａとが接続されている。すなわち、対向する１対のファクシミリ装置２０，２０Ａにより公衆電話網３０及びＩＰ網５０を介してファクシミリ通信は、２つのゲートウェイ装置４０，６０により信号変換されて実行される。
【０００５】
Ｖ．３４モードの通信では、全二重通信のために、ゲートウェイ装置などの交換機は、Ｖ．３４モードの通信で使用されるＡＮＳａｍ信号を検出したとき、エコーキャンセラーをオフする場合がある。エコーキャンセラーがオフ状態のままでＶ．１７モード以下の交信が行われる場合において、受信側端末の高低速識別のところで、自機が送出したＦＳＫ信号（ＣＦＲ）の終結フラグを送信側端末から送られてきたＦＳＫ信号と誤認識して低速待ち受けになり、本来の高速信号が来ても受信しないために、ＦＳＫ信号待ち受けのタイムアウトが発生し、交信エラーとなる場合があるという問題点があった。
【０００６】
以上の問題点を解決するために、例えば、特許文献１においては、ＩＰ網を介してＶ．３４モードの通信をトラブルなく実行することができるファクシミリ装置を提供するために、ファクシミリ装置は、ＩＴＵ−Ｔ勧告Ｖ．３４通信モードの通信機能を有するファックスモデム１０を備える。ここで、発呼時において、主制御部１は、送信側ＩＰ網チェックテーブルを参照して相手先のファクシミリ番号をチェックしてＩＰ網経由であるとき、当該相手先に発呼し、ＡＮＳａｍ信号を検出した後、ＤＩＳ信号を検出したとき、検出したＤＩＳ信号に応答せず、次のＤＩＳ信号を検出し、応答信号であるＤＣＳ信号を送出することを特徴としている。従って、ＩＰ網の交換機などがＡＮＳａｍ信号によりエコーキャンセラーをオフしたとしても、所定の無音時間を生成するので、当該エコーキャンセラーが復帰でき、通常のＧ３通信モードのファクシミリ通信などの画像通信が可能となる。
【０００７】
【特許文献１】特開２００３−２５９０９９号公報。
【発明の開示】
【発明が解決しようとする課題】
【０００８】
また、上述のエコーキャンセラーはファクシミリ通信信号の中の２１００Ｈｚ信号を検出するとともに位相反転の有無を検出し、そのエコーキャンセラー機能のオン／オフを切り替えている。２１００Ｈｚ信号はＣＥＤ信号やＡＮＳａｍ信号で使用されているが、この信号が送出されることと、実際のファクシミリ通信で適応されるプロトコルは必ずしも一致するとは限らず、以下のようなトラブルが多発している。
【０００９】
送信側が半二重データ通信を行うＧ３モードのファクシミリ装置２０であり、受信側が全二重データ通信を行ういわゆるスーパーＧ３モードを有する（すなわち、ＩＴＵ−Ｔ勧告Ｖ．３４モードを有する）ファクシミリ装置２０Ａである場合、受信側のファクシミリ装置２０ＡがＡＮＳａｍ信号を送出すると、その２１００Ｈｚ信号に基づいてＩＰ網５０に設けられたエコーキャンセラー機能が無効となり、送信側のファクシミリ装置２０で当該信号を復調できずにファクシミリ通信の通信手順が中断するという問題点があった。
【００１０】
本発明の目的は以上の問題点を解決し、エコーキャンセラー機能を有するＩＰ網を介してファクシミリ通信を行う場合であっても、ファクシミリ通信の通信手順を適正に継続することができるファクシミリ装置を提供することにある。
【課題を解決するための手段】
【００１１】
本発明に係るファクシミリ装置は、相手先のファクシミリ装置とＩＰ網を介してファクシミリ通信を行うファクシミリ装置において、
相手先のファクシミリ装置からの２１００Ｈｚ信号を受信し、受信した２１００Ｈｚ信号が位相反転したか否かを検出する位相反転回路と、
上記位相反転回路により上記２１００Ｈｚ信号の位相反転を検出したときは、ＩＴＵ−Ｔ勧告Ｖ．３４モードのＡＮＳａｍ信号を検出したと判断する一方、位相反転を検出しないときは、ファクシミリ通信のＣＥＤ信号を検出したと判断する制御手段とを備えたことを特徴とする。
【００１２】
また、上記ファクシミリ装置において、上記制御手段は、上記ＣＥＤ信号を検出したと判断したとき、上記ＣＥＤ信号に続いて相手先のファクシミリ装置から送出されるＤＩＳ信号に応答することを特徴とする。
【００１３】
さらに、上記ファクシミリ装置において、上記制御手段は、上記ＡＮＳａｍ信号を検出したと判断したとき、上記ＡＮＳａｍ信号に続いて相手先のファクシミリ装置から送出されるＤＩＳ信号に応答しないで、次のＤＩＳ信号に応答することを特徴とする。
【発明の効果】
【００１４】
従って、本発明に係るファクシミリ装置によれば、上記位相反転回路により上記２１００Ｈｚ信号の位相反転を検出したときは、ＩＴＵ−Ｔ勧告Ｖ．３４モードのＡＮＳａｍ信号を検出したと判断する一方、位相反転を検出しないときは、ファクシミリ通信のＣＥＤ信号を検出したと判断する制御手段とを備え、上記ファクシミリ装置において、上記制御手段は、上記ＣＥＤ信号を検出したと判断したとき、上記ＣＥＤ信号に続いて相手先のファクシミリ装置から送出されるＤＩＳ信号に応答し、上記制御手段は、上記ＡＮＳａｍ信号を検出したと判断したとき、上記ＡＮＳａｍ信号に続いて相手先のファクシミリ装置から送出されるＤＩＳ信号に応答しないで、次のＤＩＳ信号に応答する。従って、ＩＰ網の交換機において最初のＡＮＳａｍ信号でオフされているエコーキャンセラー機能が再びオンとなり、２回目のＤＩＳ信号に応答してすることで、送信側のファクシミリ装置で当該信号を復調できずにファクシミリ通信の通信手順が中断するという問題点を解決し、ファクシミリ通信の通信手順を適正に継続することができる。
【発明を実施するための最良の形態】
【００１５】
以下、図面を参照して本発明に係る実施形態について説明する。
【００１６】
＜実施形態＞
図１は本発明に係る実施形態である、２１００Ｈｚ信号の位相反転回路１２を有するファクシミリモデム１０を備えたファクシミリ装置２０の構成を示すブロック図である。本実施形態においても、ファクシミリ装置２０は、例えば図２に示すように、ＩＰ網５０及び公衆電話網３０を介して相手先のファクシミリ装置２０Ａに接続されている場合を想定しているが、公衆電話網３０のみを介して相手先のファクシミリ装置２０Ａに接続されてファクシミリ通信を行ってもよいことは周知の通りである。
【００１７】
この実施形態のファクシミリ装置２０は、相手先のファクシミリ装置２０Ａからの２１００Ｈｚ信号を受信し、受信した２１００Ｈｚ信号が位相反転したか否かを検出する位相反転回路１２をファクシミリモデム１０において備え、ファクシミリ装置２０の主制御部１は、位相反転回路１２により２１００Ｈｚ信号の位相反転を検出したときは（図４のステップＳ１９でＹＥＳ）、ＩＴＵ−Ｔ勧告Ｖ．３４モードのＡＮＳａｍ信号を検出したと判断する（ステップＳ２０）一方、位相反転を検出しないときは（ステップＳ１９でＮＯ）、ファクシミリ通信のＣＥＤ信号を検出したと判断する（ステップＳ２１）。ここで、主制御部１は、上記ＣＥＤ信号を検出したと判断したとき、ＣＥＤ信号に続いて相手先のファクシミリ装置から送出されるＤＩＳ信号に応答し（ステップＳ３２−Ｓ４３）、また、上記ＡＮＳａｍ信号を検出したと判断したとき（ステップＳ３４でＮＯ）、ＡＮＳａｍ信号に続いて相手先のファクシミリ装置から送出されるＤＩＳ信号に応答しないで、次のＤＩＳ信号に応答する（ステップＳ３２−Ｓ３５）ことを特徴としている。
【００１８】
図１において、ファクシミリ装置２０は、従来のＧ３方式等のファクシミリ通信機能を備えるとともに、２１００Ｈｚ信号の位相反転回路１２を有するファクシミリモデム１０を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１９】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２０】
ＲＯＭ６は、当該ファクシミリ装置２０の動作に必要であって主制御部１によって実行される種々のソフトウェアのプログラムを予め格納し、ここで、当該プログラムは、少なくとも図３乃至図５のファクシミリ発信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００２１】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。また、ファクシミリモデム１０は、上述のように、２１００Ｈｚ信号の位相反転回路１２を有する。位相反転検出回路１２は、受信される信号のうち２１００Ｈｚ信号を帯域通過フィルタを用いて帯域ろ波して検出した後、その信号の位相反転を、先に受信した２１００Ｈｚに基づいて同期再生して発生した２１００Ｈｚ信号の基準信号と位相比較することにより検出する。
【００２２】
ＮＣＵ１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００２３】
以上のように構成された本実施形態のファクシミリ装置２０は、通常のＧ３方式等のファクシミリ通信機能に加えて、ＩＰ電話の呼出音に基づくモデムの制御機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００２４】
さらに、高速でファクシミリ通信などのデータ通信が可能なＶ３４モードの通信手順について説明する。ファクシミリ装置などの通信端末装置でデータ通信を行う場合には半二重方式の例えばＩＴＵ−Ｔ（国際電気通信連合−電気通信標準化部門）の勧告Ｖ１７モードの通信手順等に準拠した変復調装置を使用し、Ｇ３規格のファクシミリ通信手順でもある同勧告Ｔ３０に規定されている手順に従って行う。また、同勧告Ｖ３４に準拠した最大伝送速度が３３．６ｋｂｐｓの超高速の通信手順（以下、Ｖ３４モードの通信手順という。）も実用化されており、このＶ３４モードの通信手順では通信の開始時点及び通信実行中において、受信側でその時点の回線状況、具体的にはＳ／Ｎ（信号対雑音電力比）、帯域幅に応じて通信速度を指定することが可能であり、送信側ではそのようにして受信側で指定された通信速度で送信を行うように通信速度を変更する。なお、Ｖ３４モードの通信手順でデータ通信を行う場合には同じく同勧告Ｖ８通信手順で前手順を行って実際の通信速度を決定する。
【００２５】
図３は図１のファクシミリ装置２０の主制御部１によって実行されるファクシミリ発信処理を示すフローチャートである。
【００２６】
図３のステップＳ１において、まず、相手先のファクシミリ装置２０Ａに対して発呼する発呼処理を実行し、ステップＳ２において相手先のファクシミリ装置２０Ａ又はネットワークからのトーン信号を検出するトーン検出処理を実行し、ステップＳ３においてトーン検出結果はトーン検出済みであるか否かが判断され、ＹＥＳのときはステップＳ４に進む一方、ＮＯのときはステップＳ５に進む。ステップＳ４では、図４のファクシミリ送信処理を実行した後、ステップＳ６で回線開放して当該ファクシミリ発信処理を終了する。一方、ステップＳ５では、再ダイヤル待ちに設定した後、ステップＳ６で回線開放して当該ファクシミリ発信処理を終了する。
【００２７】
図４は、図３のサブルーチンであるトーン検出処理（Ｓ３）を示すフローチャートである。
【００２８】
図４のステップＳ１１で、まず、位相反転検出回路１２を初期化する位相反転検出回路初期化処理を実行し、ステップＳ１２においてトーン検出のパラメータを初期化するトーン検出初期化処理を実行し、ステップＳ１３において監視タイマーを初期化する監視タイマー初期化処理を実行し、ステップＳ１４に進む。ステップＳ１４では、トーン信号を検出したか否かが判断され、ＮＯのときはステップＳ１５に進む一方、ＹＥＳのときはステップＳ１７に進む。ステップＳ１５では、例えば６０秒のＴ０タイマーが検出時間切れか否かが判断され、ＮＯのときはステップＳ１４に戻る一方、ＹＥＳのときはステップＳ１６に進む。ステップＳ１６では、再ダイヤル待ちに設定した後、元のメインルーチンに戻る。
【００２９】
ステップＳ１７においては、ビジートーン信号を検出したか否かが判断され、ＹＥＳのときはステップＳ１７に進む一方、ＮＯのときはステップＳ１８に進む。ステップＳ１８において２１００Ｈｚ信号を検出したか否かが判断され、ＮＯのときはステップＳ１４に戻る一方、ＹＥＳのときはステップＳ１９に進む。ステップＳ１９においては、位相反転検出回路１２により位相反転を検出したか否かが判断され、ＹＥＳのときはステップＳ２０に進む一方、ＮＯのときはステップＳ２１に進む。ステップＳ２０では、ＡＮＳａｍ信号を検出したと判断した後、元のメインルーチンに戻る。一方、ステップＳ２１では、ＣＥＤ信号を検出したと判断した後、元のメインルーチンに戻る。
【００３０】
図５は図３のサブルーチンであるファクシミリ送信処理（Ｓ４）を示すフローチャートである。
【００３１】
図５のステップＳ３１において、まず、各種パラメータ初期化処理を実行し、ステップＳ３２に進む。ステップＳ３１では、図４の処理でのトーン検出結果に基づいてＤＩＳ１回聞き逃しフラグＤＦの初期値を設定し、ＣＥＤ信号の検出時は、ＤＩＳ１回聞き逃しフラグＤＦを１にセットする一方、ＡＮＳａｍ信号の検出時は、ＤＩＳ１回聞き逃しフラグＤＦを０にリセットする。ステップＳ３２においてＤＩＳ信号を検出したか否かが判断され、ＹＥＳのときはステップＳ３４に進む一方、ＮＯのときはステップＳ３３に進む。ステップＳ３３においてＴ１時間（いわゆるＴ１タイマーであって、Ｔ１は３５秒ないし４５秒である。）が経過したか否かが判断され、ＹＥＳのときは元のルーチンに戻る一方、ＮＯのときはステップＳ３２に戻る。
【００３２】
ステップＳ３４においては、トーン検出結果はＣＥＤ信号検出かであるか否かが判断され、ＹＥＳのときはステップＳ３７に進む一方、ＮＯのときはステップＳ３５に進む。ステップＳ３５では、ＤＩＳ信号１回聞き逃し済みフラグＤＦは１であってセット済みか否かが判断され、ＹＥＳのときはステップＳ３７に進む一方、ＮＯのときはステップＳ３６に進む。ステップＳ３６では、ＤＩＳ信号１回聞き逃し済みフラグＤＦを１にセットした後、ステップＳ３２に戻る。ステップＳ３７以降においては、通常のファクシミリ通信の通信手順が実行され、ステップＳ３７ではＤＣＳ信号を送出し、ステップＳ３８においてＴＣＦ信号を送出し、ステップＳ３９においてＣＦＲ信号を受信し、ステップＳ４０において画像データを送出する。さらに、ステップＳ４１においてＥＯＰ信号を送出し、ステップＳ４２においてＭＣＦ信号を受信し、ステップＳ４３においてＤＣＮ信号を送出した後、元のルーチンに戻る。
【００３３】
以上説明したように、ファクシミリ装置２０の主制御部１は、ファクシミリ装置２０の主制御部１は、位相反転回路１２により２１００Ｈｚ信号の位相反転を検出したときは（図４のステップＳ１９でＹＥＳ）、ＩＴＵ−Ｔ勧告Ｖ．３４モードのＡＮＳａｍ信号を検出したと判断する（ステップＳ２０）一方、位相反転を検出しないときは（ステップＳ１９でＮＯ）、ファクシミリ通信のＣＥＤ信号を検出したと判断する（ステップＳ２１）。ここで、主制御部１は、上記ＣＥＤ信号を検出したと判断したとき、ＣＥＤ信号に続いて相手先のファクシミリ装置から送出されるＤＩＳ信号に応答し（ステップＳ３２−Ｓ４３）、また、上記ＡＮＳａｍ信号を検出したと判断したとき（ステップＳ３４でＮＯ）、ＡＮＳａｍ信号に続いて相手先のファクシミリ装置から送出されるＤＩＳ信号に応答しないで、次のＤＩＳ信号に応答する（ステップＳ３２−Ｓ３５）。従って、ＩＰ網５０の交換機において最初のＡＮＳａｍ信号でオフされているエコーキャンセラー機能が再びオンとなり、２回目のＤＩＳ信号に応答してすることで、送信側のファクシミリ装置２０で当該信号を復調できずにファクシミリ通信の通信手順が中断するという問題点を解決し、ファクシミリ通信の通信手順を適正に継続することができる。
【００３４】
＜変形例＞
以上の実施形態においては、ファクシミリ装置２０の例について述べているが、本発明はこれに限らず、ＩＰ電話網、公衆電話網又は公衆デジタル回線網などの公衆網に接続された、例えば電話機、データ通信装置などを含む通信端末装置に適用することができる。
【産業上の利用可能性】
【００３５】
以上詳述したように、本発明に係るファクシミリ装置によれば、位相反転回路により上記２１００Ｈｚ信号の位相反転を検出したときは、ＩＴＵ−Ｔ勧告Ｖ．３４モードのＡＮＳａｍ信号を検出したと判断する一方、位相反転を検出しないときは、ファクシミリ通信のＣＥＤ信号を検出したと判断する制御手段とを備え、上記ファクシミリ装置において、上記制御手段は、上記ＣＥＤ信号を検出したと判断したとき、上記ＣＥＤ信号に続いて相手先のファクシミリ装置から送出されるＤＩＳ信号に応答し、上記制御手段は、上記ＡＮＳａｍ信号を検出したと判断したとき、上記ＡＮＳａｍ信号に続いて相手先のファクシミリ装置から送出されるＤＩＳ信号に応答しないで、次のＤＩＳ信号に応答する。従って、ＩＰ網の交換機において最初のＡＮＳａｍ信号でオフされているエコーキャンセラー機能が再びオンとなり、２回目のＤＩＳ信号に応答してすることで、送信側のファクシミリ装置で当該信号を復調できずにファクシミリ通信の通信手順が中断するという問題点を解決し、ファクシミリ通信の通信手順を適正に継続することができる。
【図面の簡単な説明】
【００３６】
【図１】本発明に係る実施形態である、２１００Ｈｚ信号の位相反転回路１２を有するファクシミリモデム１０を備えたファクシミリ装置２０の構成を示すブロック図である。
【図２】図１のファクシミリ装置２０がＩＰ網５０及び公衆電話網３０を介して相手先のファクシミリ装置２０Ａに接続されているときの回線構成図である。
【図３】図１のファクシミリ装置２０の主制御部１によって実行されるファクシミリ発信処理を示すフローチャートである。
【図４】図３のサブルーチンであるトーン検出処理（Ｓ３）を示すフローチャートである。
【図５】図３のサブルーチンであるファクシミリ送信処理（Ｓ４）を示すフローチャートである。
【符号の説明】
【００３７】
１…主制御部、
２…画像読取部、
３…画像記録部、
４…表示部、
５…操作部、
６…ＲＯＭ、
７…ＲＡＭ、
８…画像メモリ、
１０…ファックスモデム、
１１，１１Ａ…ＮＣＵ、
１２…位相反転検出回路、
１３…バス、
２０，２０Ａ…ファクシミリ装置、
３０…公衆電話網、
４０…メディアゲートウェイ装置、
４１…ＮＣＵ、
５０…ＩＰ網、
５１，５２…ルータ装置、
６０…ＶｏＩＰターミナルアダプタ装置、
６１…ＮＣＵ、
Ｌ…公衆電話回線。
【図１】
2007043419.tif 000003
【図２】
2007043419.tif 000004
【図３】
2007043419.tif 000005
【図４】
2007043419.tif 000006
【図５】
2007043419.tif 000007